(57)【要約】【課題】潜水や、泳ぎなどができない一般人であっても、海底が散歩できて、海底を気軽に楽しめるようにするシステムを提供する。【解決手段】本発明の海底歩行システムは、海面に浮かせて設けたブイと、ブイと陸上の固定物との間に掛け渡したガイドロープと、ガイドロープに沿って移動可能に構成したボートと、ボートに設置した空気供給装置と、空気供給装置より空気の供給を受けて、潜水探検者が呼吸できるように形成した潜水用ヘルメットと、を具備し、潜水探検者が、潜水用ヘルメットを被った状態で、前記ボートの移動に伴い、陸地から海底へと歩行可能に構成したことを特徴とする。また、潜水探検者の歩行を補助するために、補助手段を含み構成される。【選択図】　　　　　図１
2004025970.tif 000002
【特許請求の範囲】
【請求項１】
潮で流されないように、海底に沈めてその位置を固定する固定手段を備え、海面に浮かせて設けたブイと、
前記ブイと陸上の固定物との間に掛け渡したガイドロープと、
前記ガイドロープに沿って移動可能に構成したボートと、
前記ボートに設置した空気供給装置と、
前記空気供給装置より空気の供給を受けて、潜水探検者が呼吸できるように形成した潜水用ヘルメットと、を具備し、
潜水探検者が、前記潜水用ヘルメットを被った状態で、前記ボートの移動に伴い、陸地から海底へと歩行可能に構成したことを特徴とする海底歩行システム。
【請求項２】
前記空気供給装置は、その装置本体に連結されたエアーコンプレッサーと、前記装置本体に備えられた複数個の開閉バルブおよび圧力計と、を備えていることを特徴とする請求項１に記載の海底歩行システム。
【請求項３】
前記潜水用ヘルメットは、前記開閉バルブに連結されるホースと、潜水探検者が肩で前記潜水用ヘルメットを支えるように設けられた肩当て部と、潜水探検者の手が顔に直接触れられるように、前記潜水用ヘルメットの下部を前方に突出させて形成した突出部と、肩に装着できるように設けたベルトと、を具備することを特徴とする請求項１または請求項２に記載の海底歩行システム。
【請求項４】
前記潜水用ヘルメットは、全部もしくはその一部が透明部材で形成されていることを特徴とする請求項１乃至請求項３の何れか１項に記載の海底歩行システム。
【請求項５】
前記潜水用ヘルメットには、排気孔が設けられていることを特徴とする請求項１乃至請求項４の何れか１項に記載の海底歩行システム。
【請求項６】
潜水探検者の歩行を補助するために、補助手段を含んで構成されていることを特徴とする請求項１に記載の海底歩行システム。
【請求項７】
前記補助手段は、インストラクターが潜水探検者を牽引できるようにした牽引バー、もしくは、前記ボートに設けられ、潜水探検者が把持できるようにした補助ガイドロープであることを特徴とする請求項６に記載の海底歩行システム。
【発明の詳細な説明】
【０００１】
【発明の属する技術分野】
本発明は、潜水探検者が潜水用ヘルメットを被って海底を散歩する海底歩行システムに関する。
【０００２】
【従来の技術】
海底に広がる別世界を楽しむ手段として、スキューバダイビングやシュノーケリングがあるが、それらの手段は、一部の人々にのみ普及しているものであり、必ずしも一般大衆的なものとはなっていない。即ち、スキューバダイビングの場合は、人体に危険を及ぼす深度まで潜水するものであることから、スキューバの操作等に一定の熟練を要するものであり、また、ライセンスの取得等、時間と費用のかかるものとなっている。一方、シュノーケリングの場合は、海面から海底を覗く程度のことしかできないので、面白みに欠けるものとなっている。このような状況のなかで、一般の人々が手軽に楽しめるものとしては、特開平１０−１６７１７８に、潜水用ヘルメットを装着するだけで海底歩行を可能にする海底歩行体験方法が開示されている。この海底歩行体験方法は、特定したスポット周囲を歩行するように構成されたものであり、そのスポットまでは、船で移動するものである。
【０００３】
【発明が解決しようとする課題】
本発明は、潜水や、泳ぎなどができない一般人であっても、海底が散歩できて、海底を気軽に楽しめるようにすることである。
【０００４】
【課題を解決するための手段】
上記課題を解決する為に、本発明は、潮で流されないように、海底に沈めてその位置を固定する固定手段を備え、海面に浮かせて設けたブイと、前記ブイと陸上の固定物との間に掛け渡したガイドロープと、前記ガイドロープに沿って移動可能に構成したボートと、前記ボートに設置した空気供給装置と、前記空気供給装置より空気の供給を受けて、潜水探検者が呼吸できるように形成した潜水用ヘルメットと、を具備し、潜水探検者が、前記潜水用ヘルメットを被った状態で、前記ボートの移動と伴に、陸地から海底へと歩行可能に構成したことを特徴とする。また、前記空気供給装置は、その装置本体に連結されたエアーコンプレッサーと、前記装置本体に備えられた複数個の開閉バルブおよび圧力計と、を備えていることを特徴とする。
【０００５】
これにより、潜水や、泳ぎなどができない一般人であっても、陸上から歩いて海中に入り潜水して海底が散歩できるので、気軽に海底が楽しめる。
【０００６】
前記潜水用ヘルメットは、前記開閉バルブに連結されるホースと、潜水探検者が肩で前記潜水用ヘルメットを支えるように設けられた肩当て部と、潜水探検者の手が顔に直接触れられるように、前記潜水用ヘルメットの下部を前方に突出させて形成した突出部と、肩に装着できるように設けたベルトと、を具備し、全部もしくはその一部が透明部材で形成され、さらに、排気孔が設けられていることを特徴とする。
【０００７】
潜水用ヘルメットが、ベルトで肩に装着できるようになっているので、軽量なものとすることができる。また、全体をプラスチックの透明部材で形成することができるので、視野の広いものとなる。排気孔が設けられたものは、空気が循環されて呼吸が楽なものとなる。
【０００８】
さらに、潜水探検者の歩行を補助するために、補助手段を含んで構成されており、前記補助手段は、インストラクターが潜水探検者を牽引できるようにした牽引バー、もしくは、前記ボートに設けられ、潜水探検者が把持できるようにした補助ガイドロープであることを特徴とする。
【０００９】
このような補助手段が適宜設けられているので、海中散歩が、気軽にできて快適なものとなる。
【００１０】
【発明の実施の形態】
本発明の実施の形態を図面に基づいて詳細に説明する。図１は、本発明の海底歩行システムを示した説明図である。この図１に示すように、海上の所定域には、ブイ３が設けられており、そのブイ３と陸上の固定物６との間には、ガイドロープ２が掛け渡されている。また、ガイドロープ２に沿って移動できるように構成したボート１が、空気供給装置４を設置し、さらに、その空気供給装置４より空気の供給を受けて、潜水探検者が呼吸できるように潜水用ヘルメット５が提供されている。即ち、潜水探検者は、その潜水用ヘルメット５を被ることにより、ボート１に伴い、ブイ３を設けた場所まで、陸地から海底を歩行することができるように構成されている。
【００１１】
ブイ３の設置場所は、潜水探検者が、陸地から海底へと歩行するルートの先に設けられるものであり、海面に浮かせたブイ３には、錨３ａ（固定手段）を海底に沈めて設け、その位置が動かないようにする。また、ブイ３と陸上の固定物６との間に、掛け渡されるガイドロープ２は、図１のように海面の上に必ずしも緊迫させて張る必要はなく、ボート１が、ガイドロープ２を手繰って進める程度、もしくは、潮でガイドロープ２が流されない程度に張られていれば良い。これにより、ボート１は、ガイドロープ２に沿って、潜水探検者に空気を供給しながら走行でき、また、潜水探検者は、ボート１から空気の供給が受けられる範囲で、移動できる。通常、潜水探検者は、ブイ３までの歩行ルートを、ボート１の位置を確認しながら、海底を歩行するので、歩行ルートを外れることはない。
【００１２】
ボート１については、特に限定されるものではなく、移動手段を有し空気供給装置４が設置されて、潜水探検者に空気を補給できるように構成されていればよい。即ち、ボート１に、エンジンなどの動力源は必ずしも必要ではなく、手で漕ぐオールが装備されたものや、ゴム性のボート１などでもよい。しかし、潮でボート１が流されて、ボート１がガイドロープ２から離れないように、ボート１とガイドロープ２とを連繋する嵌挿具８を設けるのがよい。このようなボート１に設置される空気供給装置４は、その装置本体にエアーコンプレッサー４ａを連結し、また、装置本体には、複数個の開閉バルブ４ｂおよび圧力計４ｃとを備えて構成されている。この空気供給装置４の開閉バルブ４ｂには、潜水用ヘルメット５のホース１０が連結される。これにより、開閉バルブ４ｂを開閉で、潜水用ヘルメット５に空気を送り込むことができる。また、その状態は、圧力計４ｃで視認できることから、危険は無い。しかし、非常時に備え、高圧エアータンク（図省略）や、その高圧エアータンクに空気を供給するために、バックアップ用圧力計等適宜に備えられている。
【００１３】
図２は、潜水用ヘルメット５を示したものであり、図１に示す空気供給装置４の開閉バルブ４ｂに連結されるホース７と、潜水探検者が肩で支えられるような肩当て部５ｃと、潜水用ヘルメット５の下部を前方に突出させて形成した突出部５ｄと、肩当て部５ｃに、ベルト５ｂを設けている。これにより、潜水用ヘルメット５の底は、拡径して開口されたものとなっており、その隙間から手が顔に直接触れられる。また、ベルト５ｂは、脇の下を通すことにより、潜水用ヘルメット５を肩に装着できるものであり、このように、潜水用ヘルメット５を形成した場合、潜水用ヘルメット５の重量を軽くできるので、装着し易いものとなる。また、全体を透明な合成樹脂素材で形成することもできることから、視野の広い潜水用ヘルメット５となる。このように、視野の広い潜水用ヘルメット５は、後続するボート１を確認する際、有効なものとなる。さらに、潜水用ヘルメット５の後面には、空気を排出する排気孔が設けられており、潜水用ヘルメット５内の空気を排出して空気を循環させ呼吸を楽にする。
【００１４】
図３は、補助ガイドロープ１１（補助手段）を示したものである。この補助ガイドロープ１１は、ボート１の任意の位置に繋がれて海中に沈められ、潜水探検者が把持できるようにしたものである。図３のように、補助ガイドロープ１１を設けた場合、この補助ガイドロープ１１に引かれることにより、海中であっても楽に歩行することができる。また、このような、潜水探検者の歩行を補助するような補助手段としては、インストラクターが潜水探検者を牽引できるようにした牽引バー（図省略）であってもよい。
【００１５】
本発明の海底歩行システムでは、潜水や泳ぎなどができなくても、一般の人が潜水探検者となり、陸上より、海中に気軽に歩いて行けるように構成されている。即ち、ボート１に装備された潜水用ヘルメット５を受け取り、頭に被り、陸上から海底に歩行するだけでよいものである。しかし、海底には歩行ルートの目印がないので、絶えず海面上のガイドロープ２や、ボート１の位置を確認し、ホース７の引張り具合に気を付ける必要がある。通常、インストラクターの引率もしくは指導の基に実施されるものであるが、上述したような基本的注意事項を守ることにより、気軽に海底を楽しむことができる。
【００１６】
【発明の効果】
本発明は、以上説明したように構成されているので、潜水や、泳ぎなどができない一般人であっても、陸上から歩いて海中に入り潜水して海底が散歩でき、気軽に海底が楽しめる。潜水用ヘルメットは、全体が軽量で、透明部材となっており、視野の広いものとすることで、海面上のガイドロープやボートが容易に確認できる。この潜水用ヘルメットに、排気孔が設けられたものは、空気が循環されて呼吸が楽なものとなる。潜水探検者の歩行を補助する補助手段が設けられた場合は、海中散歩が、さらに気軽で快適なものとなる。
【図面の簡単な説明】
【図１】本発明の海底歩行システムを示す説明図である。
【図２】潜水用ヘルメットを示す説明図である。
【図３】実施の形態を示す説明図である。
【符号の説明】
１　　ボート
２　　ガイドロープ
３　　ブイ
３ａ　錨
４　　空気供給装置
４ａ　エアーコンプレッサー
４ｂ　開閉バルブ
４ｃ　圧力計
５　　潜水用ヘルメット
５ａ　排気孔
５ｂ　ベルト
５ｃ　肩当て部
５ｄ　突出部
６　　陸上固定物
７　　ホース
８　　嵌挿具
１０　　海底歩行システム
１１　　補助ガイドロープ
【図１】
2004025970.tif 000003
【図２】
2004025970.tif 000004
【図３】
2004025970.tif 000005